(57)【要約】【課題】透光性を有するＯＬＥＤにおいて、透光性を有する第１電極の端部から光が漏れることを抑制する。【解決手段】遮光部１６０は、第１電極１１０の端部１１０ａ及び端部１１０ｂを覆っている。遮光部１６０は、遮光性、具体的には光反射性を有している。具体的には、遮光部１６０の光学密度は、有機層１２０から発せられる光について、例えば２．０以上であり、より具体的には、遮光部１６０の反射率は、有機層１２０から発せられる光について、例えば８０％以上である。さらに、遮光部１６０は、導電性を有している。具体的には、遮光部１６０の導電率は、第１電極１１０の導電率よりも高い。【選択図】図３
2018010780.tif 000002
【特許請求の範囲】
【請求項１】
基板と、
前記基板の第１面側に位置し、透明導電材料を含む第１電極と、
前記第１電極の前記基板と反対側に位置する有機層と、
前記有機層の前記第１電極と反対側に位置する第２電極と、
前記第１電極の端部を覆う遮光部と、
を備える発光装置。
【請求項２】
請求項１に記載の発光装置において、
前記遮光部は、導電性を有している発光装置。
【請求項３】
請求項２に記載の発光装置において、
前記遮光部の導電率は、前記第１電極の導電率よりも高い発光装置。
【請求項４】
請求項１〜３のいずれか一項に記載の発光装置において、
前記第１電極の端部において、前記遮光部は、前記基板と接する発光装置。
【請求項５】
請求項１〜４のいずれか一項に記載の発光装置において、
複数の前記第１電極を備え、
前記複数の第１電極は、互いに離間して位置している発光装置。
【請求項６】
請求項５に記載の発光装置において、
前記基板は、透光領域を有し、
前記複数の第１電極は、前記透光領域を挟んで互いに隣接する２つの第１電極を含む発光装置。
【請求項７】
請求項１〜６のいずれか一項に記載の発光装置において、
前記遮光部の光学密度は、前記有機層から発せられる光について、２．０以上である発光装置。
【請求項８】
請求項１〜７のいずれか一項に記載の発光装置において、
前記第１電極は、前記端部及び前記端部の周辺において、前記遮光部によって覆われている発光装置。
【請求項９】
請求項１〜８のいずれか一項に記載の発光装置において、
前記第１電極、前記有機層及び前記第２電極は、前記第１電極、前記有機層及び前記第２電極が互いに重なっていて発光部として機能する領域を有し、
前記第１電極は、第１端部を有し、
前記遮光部は、前記第１電極の前記第１端部と同じ方向を向いた第１端部と、前記第１端部の反対側にあって前記第１電極の前記第１端部と前記発光部の間にある第２端部を有し、
前記遮光部の第２端部は、前記発光部から離間している発光装置。
【請求項１０】
請求項１〜９のいずれか一項に記載の発光装置において、
前記第１電極の前記端部は、第１端部と、前記第１端部とは反対側の第２端部と、を有し、
前記遮光部は、前記第１端部を覆う第１部分と、前記第２端部を覆う第２部分と、を有する発光装置。
【請求項１１】
請求項１〜１０のいずれか一項に記載の発光装置において、
前記第１電極の前記端部と、前記遮光部と、を覆う絶縁層を備える発光装置。
【請求項１２】
請求項１〜１１のいずれか一項に記載の発光装置において、
前記遮光部は、前記第１電極の前記端部と同じ方向を向いた第１端部を有し、
前記第２電極は、前記遮光部の前記第１端部と同じ方向を向いた第１端部を有し、
前記遮光部の前記第１端部は、前記第２電極の前記第１端部よりも外側にあり、
前記遮光部の吸収率は、波長４００ｎｍ以上７００ｎｍ以下の光について８０％以上である発光装置。
【請求項１３】
請求項１２に記載の発光装置において、
前記遮光部は、クロム酸化物及びマンガン酸化物の少なくとも一方を含む発光装置。
【発明の詳細な説明】
【技術分野】
【０００１】
本発明は、発光装置に関する。
【背景技術】
【０００２】
近年、透光性を有する有機発光ダイオード（ＯＬＥＤ）が開発されている。このようなＯＬＥＤは、基板、第１電極、有機層及び第２電極を備えている。基板は、透光性を有しており、第１面と、第１面の反対側の第２面と、を有している。第１電極は、透光性を有しており、基板の第１面上にある。第２電極は、遮光性を有しており、基板の第１面上において第１電極と重なっている。有機層は、第１電極と第２電極の間にある。このようなＯＬＥＤでは、基板を介して物体が透けて見える。さらに、有機層からの光は、第２電極をほとんど透過せず、第１電極を透過する。このため、有機層からの光のほとんどは、基板の第２面側から外部に出射され、基板の第１面側から外部に出射されることはない。
【０００３】
特許文献１には、透光性を有するＯＬＥＤの一例について記載されている。特許文献１のＯＬＥＤでは、有機層が第１電極上にあり、複数の第２電極が有機層上において互いに離間して位置している。これにより、第１電極及び有機層は、第２電極と重なる領域と、第２電極と重ならない領域と、を有している。この場合、第２電極と重なる領域は発光部として機能することができ、第２電極と重ならない領域は発光部として機能し得ない。
【０００４】
特許文献２にも、透光性を有するＯＬＥＤの一例について記載されている。特許文献２のＯＬＥＤでは、複数の第１電極が互いに離間して位置しており、複数の有機層が互いに離間して位置しており、複数の第２電極が互いに離間して位置している。複数の第２電極のそれぞれは、複数の第１電極のそれぞれと重なっており、複数の有機層のそれぞれは、複数の第１電極のそれぞれと複数の第２電極のそれぞれの間にある。
【先行技術文献】
【特許文献】
【０００５】
【特許文献１】特開２０１３−１４９３７６号公報
【特許文献２】特開２０１６−６２７６７号公報
【発明の概要】
【発明が解決しようとする課題】
【０００６】
本発明者が検討したところ、透光性を有するＯＬＥＤでは、有機層からの光が第１電極の端部から漏れる場合があることが明らかとなった。このような光は、基板の第１電極側から光が漏れる原因となり得る。
【０００７】
本発明が解決しようとする課題としては、透光性を有するＯＬＥＤにおいて、透光性を有する第１電極の端部から光が漏れることを抑制することが一例として挙げられる。
【課題を解決するための手段】
【０００８】
請求項１に記載の発明は、
基板と、
前記基板の第１面側に位置し、透明導電材料を含む第１電極と、
前記第１電極の前記基板と反対側に位置する有機層と、
前記有機層の前記第１電極と反対側に位置する第２電極と、
前記第１電極の端部を覆う遮光部と、
を備える発光装置である。
【図面の簡単な説明】
【０００９】
【図１】実施形態に係る発光装置を示す平面図である。
【図２】図１から第１配線、第２電極、第２接続部、第２端子、第２配線及び絶縁層を取り除いた図である。
【図３】図１のＡ−Ａ断面図である。
【図４】図１のＢ−Ｂ断面図である。
【図５】図１のＣ−Ｃ断面図である。
【図６】図３に示した第１電極の端部の一部及びその周辺を拡大した図である。
【図７】図３に示した発光装置の動作を説明するための図である。
【図８】図２の変形例を示す図である。
【図９】図３の第１の変形例を示す図である。
【図１０】図３の第２の変形例を示す図である。
【図１１】図３の第３の変形例を示す図である。
【図１２】図３の第４の変形例を示す図である。
【図１３】図３の第５の変形例を示す図である。
【図１４】図３の第６の変形例を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０を示す平面図である。図２は、図１から第１配線１１６、第２電極１３０、第２接続部１３２、第２端子１３４、第２配線１３６及び絶縁層１４０を取り除いた図である。図３は、図１のＡ−Ａ断面図である。図４は、図１のＢ−Ｂ断面図である。図５は、図１のＣ−Ｃ断面図である。なお、図１では、説明のため、有機層１２０（図３〜図５）を図示していない。
【００１２】
まず、図３を用いて発光装置１０の概要について説明する。発光装置１０は、基板１００、第１電極１１０、有機層１２０、第２電極１３０及び遮光部１６０を備えている。第１電極１１０は、透明導電材料を含んでいる。第１電極１１０は、基板１００の第１面１０２上にある。言い換えると、第１電極１１０は、基板１００の第１面１０２側に位置している。有機層１２０は、第１電極１１０上にある。言い換えると、有機層１２０は、第１電極１１０の基板１００と反対側に位置している。第２電極１３０は、有機層１２０上にある。言い換えると、第２電極１３０は、有機層１２０の第１電極１１０と反対側に位置している。遮光部１６０は、第１電極１１０の端部（本図に示す例では、端部１１０ａ及び端部１１０ｂ）を覆っており、本図に示す例では、第１電極１１０の端部及びその周辺において基板１００の第１面１０２に接している。これにより、発光部１５０（詳細は後述する。）からの光が第１電極１１０の端部及びその周辺を介して外側に漏れることが抑制される。
【００１３】
遮光部１６０は、遮光性、具体的には光反射性を有している。具体的には、遮光部１６０の光学密度は、有機層１２０から発せられる光について、例えば２．０以上であり、より具体的には、遮光部１６０の反射率は、有機層１２０から発せられる光について、例えば８０％以上である。これにより、遮光部１６０は、有機層１２０から発せられる光が外部に漏れることを防ぐ遮光部材として機能している。
【００１４】
さらに、遮光部１６０は、導電性を有している。具体的には、遮光部１６０の導電率は、第１電極１１０の導電率よりも高い。これにより、遮光部１６０は、第１電極１１０の補助電極として機能している。
【００１５】
次に、図１及び図２を用いて、発光装置１０の平面レイアウトの詳細について説明する。発光装置１０は、基板１００、複数の第１電極１１０、複数の第１接続部１１２、複数の第１端子１１４、第１配線１１６、複数の第２電極１３０、複数の第２接続部１３２、複数の第２端子１３４、第２配線１３６、複数の絶縁層１４０及び複数の遮光部１６０を備えている。
【００１６】
基板１００の形状は、第１面１０２に垂直な方向から見た場合、一対の長辺及び一対の短辺を有する矩形である。ただし、基板１００の形状は、本図に示す例に限定されるものではない。基板１００の形状は、第１面１０２に垂直な方向から見た場合、例えば円でもよいし、又は矩形以外の多角形であってもよい。
【００１７】
複数の第１電極１１０は、互いに離間して位置しており、具体的には、基板１００の長辺に沿って一列に並んでいる。複数の第１電極１１０のそれぞれは、基板１００の短辺に沿って延伸しており、具体的には、基板１００の短辺に沿って延伸する一対の長辺及び基板１００の長辺に沿って延伸する一対の短辺を有している。
【００１８】
複数の第１電極１１０のそれぞれは、複数の第１接続部１１２のそれぞれを介して、複数の第１端子１１４のそれぞれに接続している。複数の第１端子１１４は、第１配線１１６によって互いに接続している。第１配線１１６は、基板１００の一対の長辺の一方に沿って延伸している。外部からの電圧は、第１配線１１６、第１端子１１４及び第１接続部１１２を介して第１電極１１０に供給される。なお、本図に示す例において、第１電極１１０、第１接続部１１２及び第１端子１１４は、互いに一体となっている。
【００１９】
複数の第２電極１３０のそれぞれは、複数の第１電極１１０のそれぞれに重なっている。複数の第２電極１３０は、互いに離間して位置しており、具体的には、基板１００の長辺に沿って一列に並んでいる。複数の第２電極１３０のそれぞれは、基板１００の短辺に沿って延伸しており、具体的には、基板１００の短辺に沿って延伸する一対の長辺及び基板１００の長辺に沿って延伸する一対の短辺を有している。
【００２０】
複数の第２電極１３０のそれぞれは、複数の第２接続部１３２のそれぞれを介して、複数の第２端子１３４のそれぞれに接続している。複数の第２端子１３４は、第２配線１３６によって互いに接続している。第２配線１３６は、複数の第１電極１１０及び複数の第２電極１３０を挟んで第１配線１１６と対向しており、基板１００の一対の長辺の他方に沿って延伸している。外部からの電圧は、第２配線１３６、第２端子１３４及び第２接続部１３２を介して第２電極１３０に供給される。なお、本図に示す例において、第２接続部１３２及び第２端子１３４は、互いに一体となっている。
【００２１】
複数の絶縁層１４０のそれぞれは、複数の第１電極１１０のそれぞれに重なっている。複数の絶縁層１４０は、互いに離間して位置しており、具体的には、基板１００の長辺に沿って一列に並んでいる。複数の絶縁層１４０のそれぞれは、基板１００の短辺に沿って延伸しており、具体的には、基板１００の短辺に沿って延伸する一対の長辺及び基板１００の長辺に沿って延伸する一対の短辺を有している。
【００２２】
複数の絶縁層１４０のそれぞれは、開口１４２を有している。図３を用いて後述するように、開口１４２内において、第１電極１１０、有機層１２０及び第２電極１３０は、発光部１５０として機能する領域を有している。言い換えると、絶縁層１４０は、発光部１５０を画定している。発光部１５０（開口１４２）は、基板１００の短辺に沿って延伸しており、具体的には、基板１００の短辺に沿って延伸する一対の長辺及び基板１００の長辺に沿って延伸する一対の短辺を有している。
【００２３】
複数の遮光部１６０のそれぞれは、複数の第１電極１１０のそれぞれに重なっている。遮光部１６０は、第１電極１１０の端部、第１接続部１１２の端部及び第１端子１１４の端部を覆っている。より具体的には、遮光部１６０は、第１部分１６２、第２部分１６４、第３部分１６６及び第４部分１６８を有している。第１部分１６２、第２部分１６４、第３部分１６６及び第４部分１６８は、それぞれ、第１電極１１０の一対の長辺の一方（端部１１０ａ）、第１電極１１０の一対の長辺の他方（端部１１０ｂ）、第１電極１１０の一対の短辺の一方（端部１１０ｃ）及び第１電極１１０の一対の短辺の他方（端部１１０ｄ）に沿って延伸しており、それぞれ、第１電極１１０の一対の長辺の一方（端部１１０ａ）、第１電極１１０の一対の長辺の他方（端部１１０ｂ）、第１電極１１０の一対の短辺の一方（端部１１０ｃ）及び第１電極１１０の一対の短辺の他方（端部１１０ｄ）を覆っている。
【００２４】
次に、図３を用いて、発光装置１０について発光部１５０の長さ方向（発光部１５０の長辺に沿った方向）に垂直な断面の詳細を説明する。発光装置１０は、基板１００、第１電極１１０、有機層１２０、第２電極１３０、絶縁層１４０及び遮光部１６０を備えている。基板１００は、第１面１０２及び第２面１０４を有している。第２面１０４は、第１面１０２の反対側にある。第１電極１１０、有機層１２０、第２電極１３０、絶縁層１４０及び遮光部１６０は、基板１００の第１面１０２上にある。絶縁層１４０の開口１４２内において、第１電極１１０、有機層１２０及び第２電極１３０は、発光部１５０として機能する領域を有しており、この領域において、第１電極１１０、有機層１２０及び第２電極１３０は、互いに重なっている。
【００２５】
基板１００は、透光性を有しており、例えば、ガラス基板又は樹脂基板である。基板１００は、可撓性を有していてもよいし、又は可撓性を有していなくてもよい。基板１００が可撓性を有している場合、基板１００の厚さは、例えば１０μｍ以上１０００μｍ以下である。基板１００の第１面１０２及び第２面１０４の少なくとも一方は、無機絶縁膜（例えば、ＳｉＮｘ又はＳｉＯＮ）によって覆われていてもよい。この場合、水分が基板１００を介して有機層１２０に侵入することが抑制される。
【００２６】
第１電極１１０は、透光性及び導電性を有しており、透明導電材料、具体的には例えば金属酸化物、より具体的には例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）又はＺｎＯ（Ｚｉｎｃ  Ｏｘｉｄｅ）を含んでいる。これにより、有機層１２０からの光は、第１電極１１０を透過することができる。
【００２７】
有機層１２０は、例えば、正孔注入層、正孔輸送層、発光層、電子輸送層及び電子注入層を含んでいる。正孔注入層及び正孔輸送層は、第１電極１１０に接続している。電子輸送層及び電子注入層は、第２電極１３０に接続している。発光層は、第１電極１１０と第２電極１３０の間の電圧によって光を発する。
【００２８】
第２電極１３０は、光反射性及び導電性を有しており、光反射性導電材料、例えば金属、具体的には例えば、Ａｌ、Ａｕ、Ａｇ、Ｐｔ、Ｍｇ、Ｓｎ、Ｚｎ及びＩｎからなる第１群から選択される金属又はこの第１群から選択される金属の合金を含んでいる。これにより、有機層１２０からの光は、第２電極１３０をほとんど透過することなく、第２電極１３０で反射される。
【００２９】
絶縁層１４０は、例えば有機絶縁材料、具体的には例えばポリイミドを含んでいる。又は絶縁層１４０は、無機絶縁材料でもよい。なお、絶縁層１４０は、透光性を有している。このため、仮に有機層１２０からの光が（例えば、基板１００の第１面１０２での反射を経て）絶縁層１４０に入射した場合、この光は、絶縁層１４０を介して外部に漏れることになる。これに対して、本実施形態では、有機層１２０からの光が絶縁層１４０に入射することを遮光部１６０が防止している。
【００３０】
遮光部１６０は、光反射性及び導電性を有しており、光反射性導電材料を含んでいる。これにより、遮光部１６０は、第１電極１１０の補助電極として機能するとともに、有機層１２０から発せられる光が外部に漏れることを防ぐ遮光部材として機能している。遮光部１６０は、例えば、Ａｌ、Ａｌ合金、Ｍｏ及びＭｏ合金からなる群から選択される少なくとも１つを含んでおり、例えば、Ｍｏ又はＭｏ合金を含む第１層、第１層上にあってＡｌ又はＡｌ合金を含む第２層及び第２層上にあってＭｏ又はＭｏ合金を含む第３層の３つの層からなる積層体を含んでいる。
【００３１】
第１電極１１０は端部１１０ａ及び端部１１０ｂを有し、有機層１２０は端部１２０ａ及び端部１２０ｂを有し、第２電極１３０は端部１３０ａ及び端部１３０ｂを有し、絶縁層１４０は端部１４０ａ及び端部１４０ｂを有し、開口１４２は端部１４２ａ及び端部１４２ｂを有し、発光部１５０は端部１５０ａ及び端部１５０ｂを有し、遮光部１６０は端部１６０ａ及び端部１６０ｂを有している。端部１１０ａ、端部１２０ａ、端部１３０ａ、端部１４０ａ、端部１４２ａ、端部１５０ａ及び端部１６０ａは、互いに同じ方向を向いている。端部１１０ｂ、端部１２０ｂ、端部１３０ｂ、端部１４０ｂ、端部１４２ｂ、端部１５０ｂ及び端部１６０ｂは、互いに同じ方向を向いており、それぞれ、端部１１０ａ、端部１２０ａ、端部１３０ａ、端部１４０ａ、端部１４２ａ、端部１５０ａ及び端部１６０ａの反対側にある。
【００３２】
遮光部１６０は、第１部分１６２及び第２部分１６４を有している。遮光部１６０の第１部分１６２及び第２部分１６４は、それぞれ、端部１６２ａ及び端部１６４ａを有している。端部１６２ａは遮光部１６０の端部１６０ａと発光部１５０の端部１５０ａの間にあり、端部１６４ａは遮光部１６０の端部１６０ｂと発光部１５０の端部１５０ｂの間にある。
【００３３】
本図に示す例において、端部１１０ａの近傍において、第１電極１１０の表面は、端部１１０ａから離れるにつれて第１面１０２から離れるように湾曲している。さらに、端部１１０ｂの近傍において、第１電極１１０の表面は、端部１１０ｂから離れるにつれて第１面１０２から離れるように湾曲している。第１電極１１０の中央及びその周辺において、第１電極１１０の表面は、基板１００の第１面１０２とほぼ平行、すなわちほぼ平坦になっている。
【００３４】
遮光部１６０は、第１電極１１０の両端（端部１１０ａ及び端部１１０ｂ）を覆っており、本図に示す例では、第１電極１１０の両端及びその周辺において基板１００の第１面１０２に接している。具体的には、遮光部１６０の第１部分１６２は第１電極１１０の端部１１０ａを覆っており、遮光部１６０の第２部分１６４は第１電極１１０の端部１１０ｂを覆っている。これにより、第１電極１１０の両端（端部１１０ａ及び端部１１０ｂ）からの光の漏れを抑制することができる。
【００３５】
第１電極１１０は、端部１１０ａ及びその周辺において遮光部１６０の第１部分１６２によって覆われている。さらに、第１電極１１０は、端部１１０ｂ及びその周辺において遮光部１６０の第２部分１６４によって覆われている。これにより、第１電極１１０と遮光部１６０（第１部分１６２及び第２部分１６４）の接触面積が大きいものとなる。このため、第１電極１１０による電圧降下を大きく抑制することができる。
【００３６】
遮光部１６０（第１部分１６２）の端部１６２ａは、発光部１５０、具体的には発光部１５０の端部１５０ａから離間している。さらに、遮光部１６０（第２部分１６４）の端部１６４ａは、発光部１５０、具体的には発光部１５０の端部１５０ｂから離間している。これにより、遮光部１６０（第１部分１６２及び第２部分１６４）が発光部１５０の幅を狭めることがない。このため、遮光部１６０の面積を大きいものにすることができる。
【００３７】
なお、本図に示す例では、絶縁層１４０の開口１４２の端部１４２ａは発光部１５０の端部１５０ａとして機能しており、絶縁層１４０の開口１４２の端部１４２ｂは発光部１５０の端部１５０ｂとして機能している。言い換えると、発光部１５０は、絶縁層１４０の開口１４２によって画定されている。
【００３８】
絶縁層１４０は、第１電極１１０の端部１１０ａ及び遮光部１６０の第１部分１６２を覆っている。さらに、絶縁層１４０は、第１電極１１０の端部１１０ｂ及び遮光部１６０の第２部分１６４を覆っている。これにより、第２電極１３０が第１電極１１０及び遮光部１６０（第１部分１６２及び第２部分１６４）に接触すること、すなわち第２電極１３０が第１電極１１０及び遮光部１６０（第１部分１６２及び第２部分１６４）と短絡することが防止される。
【００３９】
第２電極１３０の端部１３０ａは、基板１００の第１面１０２に垂直な方向において遮光部１６０の第１部分１６２と重なっており、言い換えると、発光部１５０の幅方向において端部１６０ａと端部１６２ａの間にある。さらに、第２電極１３０の端部１３０ｂは、基板１００の第１面１０２に垂直な方向において遮光部１６０の第２部分１６４と重なっており、言い換えると、発光部１５０の幅方向において端部１６０ｂと端部１６４ａの間にある。これにより、基板１００の第１面１０２は、遮光部１６０の端部１６０ａと端部１６０ｂの間のいずれの領域においても、第１面１０２に垂直な方向において、第２電極１３０及び遮光部１６０の少なくとも一方と重なるようになる。このため、第１面１０２で反射した光が外部に漏れることを第２電極１３０及び遮光部１６０が防止するようになる。
【００４０】
基板１００は、複数の発光領域１５２及び複数の透光領域１５４を有している。複数の発光領域１５２及び複数の透光領域１５４は、交互に並んでいる。複数の発光領域１５２のそれぞれは、複数の発光部１５０のそれぞれと重なっており、本図に示す例では、発光部１５０の幅方向において開口１４２の端部１４２ａから端部１４２ｂまで広がっている。複数の透光領域１５４のそれぞれは、互いに隣接する発光領域１５２の間において第２電極１３０及び遮光部１６０と重なっておらず、本図に示す例では、互いに隣接する発光部１５０の一方の遮光部１６０の端部１６０ａから他方の遮光部１６０の端部１６０ｂまで広がっている。このようにして、複数の発光部１５０（第１電極１１０、有機層１２０及び第２電極１３０）は、透光領域１５４を挟んで互いに隣接する２つの発光部１５０を含んでいる。
【００４１】
基板１００の第１面１０２は、複数の第１領域１０２ａ、複数の第２領域１０２ｂ及び複数の第３領域１０２ｃを含んでいる。複数の第１領域１０２ａのそれぞれは、第２電極１３０及び遮光部１６０の少なくとも一方と重なっており、本図に示す例では、発光部１５０の幅方向において、遮光部１６０の端部１６０ａから端部１６０ｂまで広がっている。複数の第２領域１０２ｂのそれぞれは、第２電極１３０及び遮光部１６０と重なっておらず、かつ絶縁層１４０と重なっており、本図に示す例では、遮光部１６０の端部１６０ａから絶縁層１４０の端部１４０ａまで（又は遮光部１６０の端部１６０ｂから絶縁層１４０の端部１４０ｂまで）広がっている。複数の第３領域１０２ｃのそれぞれは、互いに隣接する絶縁層１４０の間にあり、本図に示す例では、互いに隣接する絶縁層１４０の一方の端部１４０ａから他方の端部１４０ｂまで広がっている。
【００４２】
本図に示す例において、第２領域１０２ｂの幅ｄ２は、第３領域１０２ｃの幅ｄ３よりも短い。これにより、発光装置１０の光線透過率が高くなっている。詳細には、第２領域１０２ｂの光線透過率は、第３領域１０２ｃの光線透過率よりも低い。これは、第２領域１０２ｂ上には絶縁層１４０が位置しているのに対し、第３領域１０２ｃ上には絶縁層１４０が位置していないためである。上記したように、第２領域１０２ｂの幅ｄ２は、第３領域１０２ｃの幅ｄ３よりも狭い。このため、発光装置１０の光線透過率が高くなっている。
【００４３】
さらに、本図に示す例では、発光装置１０が特定の波長の光を遮断するフィルタとして機能することが抑制される。詳細には、絶縁層１４０の光線透過率が波長によって異なっていることがある。このため、絶縁層１４０は、特定の波長の光を遮断するフィルタとして機能し得る。本図に示す例では、上記したように、第２領域１０２ｂ（絶縁層１４０と重なる領域）の幅ｄ２は狭く、具体的には第３領域１０２ｃの幅ｄ３よりも狭い。このため、発光装置１０が特定の波長の光を遮断するフィルタとして機能することが抑制される。
【００４４】
本図に示す例において、第２領域１０２ｂの幅ｄ２は、第１領域１０２ａの幅ｄ１の例えば０倍以上０．２倍以下（０≦ｄ２／ｄ１≦０．２）である。第３領域１０２ｃの幅ｄ３は、第１領域１０２ａの幅ｄ１の例えば０．３倍以上２倍以下（０．３≦ｄ３／ｄ１≦２）である。第１領域１０２ａの幅ｄ１は、例えば５０μｍ以上５００μｍ以下である。第２領域１０２ｂの幅ｄ２は、例えば０μｍ以上１００μｍ以下である。第３領域１０２ｃの幅ｄ３は、１５μｍ以上１０００μｍ以下である。
【００４５】
なお、複数の発光部１５０は、外部領域から封止されている。一例において、複数の発光部１５０は、バリア膜を有する封止板によって封止されている。この場合、封止板は、接着剤によって接着される。さらにこの場合、封止板と複数の発光部１５０の間に乾燥剤が充填されていてもよい。その他の例として、複数の発光部１５０は、例えばＡＬＤ又はＣＶＤにより形成された無機膜（例えば、Ａｌ２Ｏ３膜又はＳｉ３Ｎ４膜）によって封止されていてもよい。
【００４６】
本図に示す例では、複数の発光領域１５２（すなわち、複数の発光部１５０）がある程度狭いピッチで並んでいる。このため、複数の発光部１５０から光が発せられた場合、人間の視覚では、複数の発光領域１５２及び複数の透光領域１５４を含む領域の全面に亘って光が発せられているように見える。
【００４７】
さらに、本図に示す例では、第１領域１０２ａ（すなわち、遮光性を有する領域）がある程度狭く、かつ透光領域１０６ｂがある程度広い。このため、人間の視覚では、発光装置１０を介して物体が透けて見える。言い換えると、発光装置１０は、半透過ＯＬＥＤとして機能している。具体的には、複数の発光部１５０から光が発せられていない場合、人間の視覚では、第１面１０２側から第２面１０４側の物体が透けて見えるとともに、第２面１０４側から第１面１０２側の物体が透けて見える。さらに、複数の発光部１５０から光が発せられている場合、人間の視覚では、第１面１０２側から第２面１０４側の物体が透けて見える。
【００４８】
次に、図４及び図５を用いて、発光装置１０について発光部１５０の幅方向（発光部１５０の短辺に沿った方向）に垂直な断面の詳細を説明する。第１電極１１０は端部１１０ｃ及び端部１１０ｄを有し、有機層１２０は端部１２０ｃ及び端部１２０ｄを有し、第２電極１３０は端部１３０ｃ及び端部１３０ｄを有し、絶縁層１４０は端部１４０ｃ及び端部１４０ｄを有し、開口１４２は端部１４２ｃ及び端部１４２ｄを有し、発光部１５０は端部１５０ｃ及び端部１５０ｄを有し、遮光部１６０は端部１６０ｃ及び端部１６０ｄを有している。端部１１０ｃ、端部１２０ｃ、端部１３０ｃ、端部１４０ｃ、端部１４２ｃ、端部１５０ｃ及び端部１６０ｃは、互いに同じ方向を向いている。端部１１０ｄ、端部１２０ｄ、端部１３０ｄ、端部１４０ｄ、端部１４２ｄ、端部１５０ｄ及び端部１６０ｄは、互いに同じ方向を向いており、それぞれ、端部１１０ｃ、端部１２０ｃ、端部１３０ｃ、端部１４０ｃ、端部１４２ｃ、端部１５０ｃ及び端部１６０ｃの反対側にある。
【００４９】
遮光部１６０は、第３部分１６６及び第４部分１６８を有している。遮光部１６０の第３部分１６６及び第４部分１６８は、それぞれ、端部１６６ａ及び端部１６８ａを有している。端部１６６ａは遮光部１６０の端部１６０ｃと発光部１５０の端部１５０ｃの間にあり、端部１６４ａは遮光部１６０の端部１６０ｄと発光部１５０の端部１５０ｄの間にある。
【００５０】
本図に示す例において、端部１１０ｃの近傍において、第１電極１１０の表面は、端部１１０ｃから離れるにつれて第１面１０２から離れるように湾曲している。さらに、端部１１０ｄの近傍において、第１電極１１０の表面は、端部１１０ｄから離れるにつれて第１面１０２から離れるように湾曲している。第１電極１１０の中央及びその周辺において、第１電極１１０の表面は、基板１００の第１面１０２とほぼ平行、すなわちほぼ平坦になっている。
【００５１】
遮光部１６０は、第１電極１１０の両端（端部１１０ｃ及び端部１１０ｄ）を覆っており、本図に示す例では、第１電極１１０の両端及びその周辺において基板１００の第１面１０２に接している。具体的には、遮光部１６０の第３部分１６６は第１電極１１０の端部１１０ｃを覆っており、遮光部１６０の第４部分１６８は第１電極１１０の端部１１０ｄを覆っている。これにより、第１電極１１０の両端（端部１１０ａ及び端部１１０ｂ）からの光の漏れを抑制することができる。
【００５２】
第１電極１１０は、端部１１０ｃ及びその周辺において遮光部１６０の第３部分１６６によって覆われている。さらに、第１電極１１０は、端部１１０ｄ及びその周辺において遮光部１６０の第４部分１６８によって覆われている。これにより、第１電極１１０と遮光部１６０（第３部分１６６及び第４部分１６８）の接触面積が大きいものとなる。このため、第１電極１１０による電圧降下を大きく抑制することができる。
【００５３】
遮光部１６０（第３部分１６６）の端部１６６ａは、発光部１５０、具体的には発光部１５０の端部１５０ｃから離間している。さらに、遮光部１６０（第４部分１６８）の端部１６８ａは、発光部１５０、具体的には発光部１５０の端部１５０ｄから離間している。これにより、遮光部１６０（第３部分１６６及び第４部分１６８）が発光部１５０の長さを短くすることがない。このため、遮光部１６０の面積を大きいものにすることができる。
【００５４】
なお、本図に示す例では、絶縁層１４０の開口１４２の端部１４２ｃは発光部１５０の端部１５０ｃとして機能しており、絶縁層１４０の開口１４２の端部１４２ｄは発光部１５０の端部１５０ｄとして機能している。言い換えると、発光部１５０は、絶縁層１４０の開口１４２によって画定されている。
【００５５】
絶縁層１４０は、第１電極１１０の端部１１０ｃ及び遮光部１６０の第３部分１６６を覆っている。さらに、絶縁層１４０は、第１電極１１０の端部１１０ｄ及び遮光部１６０の第４部分１６８を覆っている。これにより、第２電極１３０が第１電極１１０及び遮光部１６０（第３部分１６６及び第４部分１６８）に接触すること、すなわち第２電極１３０が第１電極１１０及び遮光部１６０（第３部分１６６及び第４部分１６８）と短絡することが防止される。
【００５６】
第２電極１３０の端部１３０ｃは、基板１００の第１面１０２に垂直な方向において遮光部１６０の第３部分１６６と重なっており、言い換えると、発光部１５０の長さ方向において端部１６０ｃと端部１６６ａの間にある。これにより、基板１００の第１面１０２は、遮光部１６０の端部１６０ｃと端部１６０ｄの間のいずれの領域においても、第１面１０２に垂直な方向において、第２電極１３０及び遮光部１６０の少なくとも一方と重なるようになる。このため、第１面１０２で反射した光が外部に漏れることを第２電極１３０及び遮光部１６０が防止するようになる。
【００５７】
なお、第２電極１３０の端部１３０ｄは、絶縁層１４０の端部１４０ｄよりも外側にあり、言い換えると、発光部１５０の端部１５０ｃよりも外側において、絶縁層１４０を覆っている。これにより、第２電極１３０は、第２接続部１３２（図１）に接続することができる。
【００５８】
次に、図１〜図５に示した発光装置１０の製造方法について説明する。
【００５９】
まず、基板１００の第１面１０２上に第１電極１１０、第１接続部１１２、第１端子１１４及び第２接続部１３２及び第２端子１３４を形成する。一例において、第１電極１１０、第１接続部１１２、第１端子１１４、第２接続部１３２及び第２端子１３４は、スパッタリングにより形成された導電層をパターニングすることにより形成される。
【００６０】
次いで、第１電極１１０上に遮光部１６０を形成する。一例において、遮光部１６０は、スパッタリングにより形成された導電層をパターニングすることにより形成される。
【００６１】
次いで、第１電極１１０上及び遮光部１６０上に絶縁層１４０を形成する。一例において、絶縁層１４０は、基板１００の第１面１０２上に塗布された感光性樹脂をパターニングすることにより形成される。
【００６２】
次いで、第１電極１１０上及び絶縁層１４０上に有機層１２０を形成する。一例において、有機層１２０は、塗布プロセス、より具体的にはインクジェット印刷により形成される。
【００６３】
次いで、有機層１２０上に第２電極１３０を形成する。一例において、第２電極１３０は、マスクを用いた真空蒸着により形成される。
【００６４】
このようにして、図１〜図５に示した発光装置１０が製造される。
【００６５】
図６は、図３に示した第１電極１１０の端部の一部及びその周辺を拡大した図である。本図では、第１電極１１０の端部１１０ａ及びその周辺が拡大されている。
【００６６】
遮光部１６０の端部１６０ａは、第１電極１１０の端部１１０ａよりも距離Δｗだけ外側に突出している。距離Δｗは、例えば、０．１μｍ以上１μｍ以下である。
【００６７】
第１電極１１０は、発光部１５０の幅方向において、幅ｗ１だけ絶縁層１４０によって覆われている。言い換えると、幅ｗ１は、発光部１５０の幅方向において、第１電極１１０の端部１１０ａから絶縁層１４０の端部１４２ａまでの距離である。さらに、第１電極１１０は、発光部１５０の幅方向において、幅ｗ２だけ遮光部１６０（第１部分１６２）によって覆われている。言い換えると、幅ｗ２は、発光部１５０の幅方向において、第１電極１１０の端部１１０ａから遮光部１６０の端部１６２ａまでの距離である。
【００６８】
第１電極１１０と遮光部１６０（第１部分１６２）の接触面積を大きくする観点からすると、幅ｗ２は、ある程度広いことが好ましく、例えば、ｗ１の０．５倍以上である（０．５≦ｗ２／ｗ１）ことが好ましい。幅ｗ２がある程度広い場合、第１電極１１０と遮光部１６０（第１部分１６２）の接触面積が大きくなる。これにより、第１電極１１０による電圧降下を抑制することができる。
【００６９】
遮光部１６０が発光部１５０の面積を小さくしないようにする観点からすると、幅ｗ２は、ある程度狭いことが好ましく、例えば、ｗ１の０．９倍以下である（ｗ２／ｗ１≦０．９）ことが好ましい。幅ｗ２が広すぎる場合、遮光部１６０又は絶縁層１４０が設計位置からずれると、遮光部１６０の端部１６２ａが絶縁層１４０から露出する可能性がある。この場合、発光部１５０の端部１５０ａは、遮光部１６０の端部１６２ａによって画定される。このため、発光部１５０の幅が狭くなる。これに対して、上記したように、幅ｗ２がある程度狭い場合、遮光部１６０の端部１６２ａが絶縁層１４０から露出することが抑制される。これにより、遮光部１６０が発光部１５０の面積を小さくすることが抑制される。
【００７０】
図７は、図３に示した発光装置１０の動作を説明するための図である。本図に示すように、有機層１２０（具体的には、発光層）からの光の一部は、第１電極１１０の屈折率と基板１００の屈折率の差により、基板１００の第１面１０２で反射する。特に、第１電極１１０の屈折率が基板１００の屈折率よりも小さく、かつ第１電極１１０と基板１００の界面における有機層１２０からの光の入射角がある程度大きい場合、第１電極１１０と基板１００の界面では全反射が生じる。
【００７１】
本図に示す例では、基板１００の第１面１０２で光が反射しても、この光が絶縁層１４０に入射することを遮光部１６０が防いでいる。これにより、有機層１２０からの光が基板１００の第１面１０２側から漏れることが抑制される。
【００７２】
以上、本実施形態によれば、第１電極１１０の端部１１０ａ、端部１１０ｂ、端部１１０ｃ及び端部１１０ｄは、それぞれ、遮光部１６０の第１部分１６２、第２部分１６４、第３部分１６６及び第４部分１６８によって覆われている。このため、第１電極１１０の端部１１０ａ、端部１１０ｂ、端部１１０ｃ及び端部１１０ｄから光が漏れることが抑制される。
【００７３】
なお、発光装置１０は、例えば、自動車のリアウインドウに取り付けられたハイマウントストップランプとして機能することができる。この場合、発光装置１０（発光部１５０）は、例えば、赤色の光を発する。
【００７４】
図８は、図２の変形例を示す図である。本図に示すように、遮光部１６０は、第１電極１１０の一対の長辺（端部１１０ａ及び端部１１０ｂ）のみを覆っていてもよい。具体的には、遮光部１６０は、第１部分１６２及び第２部分１６４を有している。第１部分１６２は、第１電極１１０の一対の長辺の一方（端部１１０ａ）を覆っている。第２部分１６４は、第１電極１１０の一対の長辺の他方（端部１１０ｂ）を覆っている。第１部分１６２及び第２部分１６４は、互いに接続していない。本図に示す例においても、基板１００の第１面１０２で光が反射しても、この光が絶縁層１４０（例えば、図３）に入射することを遮光部１６０（第１部分１６２及び第２部分１６４）が防ぐことができる。
【００７５】
図９は、図３の第１の変形例を示す図である。本図に示すように、遮光部１６０は、端部１１０ａのみを覆っていてもよい。具体的には、遮光部１６０は、第１部分１６２を有している。第１部分１６２は、第１電極１１０の端部１１０ａを覆っている。本図に示す例においても、基板１００の第１面１０２で光が反射しても、この光が絶縁層１４０に入射することを遮光部１６０（第１部分１６２）が防ぐことができる。
【００７６】
図１０は、図３の第２の変形例を示す図である。本図に示すように、遮光部１６０の端部１６２ａ及び端部１６４ａは、絶縁層１４０から露出していてもよい。具体的には、遮光部１６０の第１部分１６２の端部１６２ａは絶縁層１４０の端部１４２ａよりも内側にあり、遮光部１６０の第２部分１６４の端部１６４ａは絶縁層１４０の端部１４２ｂよりも内側にある。これにより、第１部分１６２の端部１６２ａは発光部１５０の端部１５０ａとして機能しており、第２部分１６４の端部１６４ａは発光部１５０の端部１５０ｂとして機能している。言い換えると、第１部分１６２の端部１６２ａ及び第２部分１６４の端部１６４ａは、発光部１５０に接しており、さらに言い換えると、発光部１５０は、遮光部１６０によって画定されている。
【００７７】
図１１は、図３の第３の変形例を示す図である。本図に示す例において、遮光部１６０は、遮光性、具体的には光吸収性を有している。具体的には、遮光部１６０の光学密度は、有機層１２０から発せられる光について、例えば２．０以上であり、より具体的には、遮光部１６０の吸収率は、有機層１２０から発せられる光について、例えば８０％以上である。これにより、遮光部１６０は、有機層１２０から発せられる光が外部に漏れることを防ぐ遮光部材として機能している。遮光部１６０は、例えば、ブラックマトリクス層を含んでおり、より具体的には、例えば、クロム酸化物（例えば、ＣｒＯ又はＣｒＯ２）及びマンガン酸化物（例えば、ＭｎＯ）の少なくとも一方を含んでいる。
【００７８】
さらに、遮光部１６０の吸収率は、可視光、具体的には４００ｎｍ以上７００ｎｍ以下の波長の光について、ある程度高く、例えば８０％以上である。言い換えると、遮光部１６０の反射率は、可視光についてある程度低い。これにより、遮光部１６０のぎらつきを抑制することができる。詳細には、本図に示す例において、遮光部１６０の端部１６０ａ及び端部１６０ｂは、それぞれ、第２電極１３０の端部１３０ａ及び端部１３０ｂよりも外側にある。この場合、遮光部１６０の反射率がある程度高いと、第１面１０２側から発光装置１０を見たときに遮光部１６０がぎらつく可能性がある。これに対して、本図に示す例では、遮光部１６０の反射率が低い。このため、遮光部１６０のぎらつきを抑制することができる。
【００７９】
なお、本図に示す例において、遮光部１６０の導電率は、第１電極１１０の導電率よりも高くてもよいし、第１電極１１０の導電率以下であってもよい。遮光部１６０の導電率が第１電極１１０の導電率よりも高い場合、遮光部１６０は第１電極１１０の補助電極として機能することができる。遮光部１６０の導電率が第１電極１１０の導電率以下、特に遮光部１６０が絶縁部材である場合、遮光部１６０は第１電極１１０の補助電極として機能し得ない。
【００８０】
図１２は、図３の第４の変形例を示す図である。本図に示す例において、発光装置１０は、導電部１７０（導電部１７２及び導電部１７４）を備えている。導電部１７０は、導電性を有している。具体的には、導電部１７０の導電率は、第１電極１１０の導電率よりも高い。これにより、導電部１７０は、第１電極１１０の補助電極として機能している。このため、遮光部１６０の導電率が第１電極１１０の導電率以下、特に遮光部１６０が絶縁部材である場合であっても、第１電極１１０による電圧降下を抑制することができる。
【００８１】
本図に示す例において、導電部１７２及び導電部１７４は、基板１００の第１面１０２上において第１電極１１０に覆われている。導電部１７２及び導電部１７４は、発光部１５０を挟んで互いに対向している。
【００８２】
導電部１７０は、例えば、Ａｌ、Ａｌ合金、Ｍｏ及びＭｏ合金からなる群から選択される少なくとも１つを含んでおり、例えば、Ｍｏ又はＭｏ合金を含む第１層、第１層上にあってＡｌ又はＡｌ合金を含む第２層及び第２層上にあってＭｏ又はＭｏ合金を含む第３層の３つの層からなる積層体を含んでいる。
【００８３】
図１３は、図３の第５の変形例を示す図である。本図に示すように、有機層１２０は、絶縁層１４０の開口１４２の外側に位置していなくてもよい。具体的には、本図に示す例では、有機層１２０の端部１２０ａは、開口１４２の端部１４２ａ側において開口１４２の内側面に接し、有機層１２０の端部１２０ｂは、開口１４２の端部１４２ｂ側において開口１４２の内側面に接している。
【００８４】
図１４は、図３の第６の変形例を示す図である。本図に示すように、有機層１２０は、互いに隣接する２つの発光部１５０に亘って位置していてもよい。より具体的には、有機層１２０は、複数の発光領域１５２及び複数の透光領域１５４の全体を覆っている。
【００８５】
以上、図面を参照して実施形態及び実施例について述べたが、これらは本発明の例示であり、上記以外の様々な構成を採用することもできる。
【符号の説明】
【００８６】
１０  発光装置
１００  基板
１０２  第１面
１０２ａ  第１領域
１０２ｂ  第２領域
１０２ｃ  第３領域
１０４  第２面
１０６ｂ  透光領域
１１０  第１電極
１１０ａ  端部
１１０ｂ  端部
１１０ｃ  端部
１１０ｄ  端部
１１２  第１接続部
１１４  第１端子
１１６  第１配線
１２０  有機層
１２０ａ  端部
１２０ｂ  端部
１２０ｃ  端部
１２０ｄ  端部
１３０  第２電極
１３０ａ  端部
１３０ｂ  端部
１３０ｃ  端部
１３０ｄ  端部
１３２  第２接続部
１３４  第２端子
１３６  第２配線
１４０  絶縁層
１４０ａ  端部
１４０ｂ  端部
１４０ｃ  端部
１４０ｄ  端部
１４２  開口
１４２ａ  端部
１４２ｂ  端部
１４２ｃ  端部
１４２ｄ  端部
１５０  発光部
１５０ａ  端部
１５０ｂ  端部
１５０ｃ  端部
１５０ｄ  端部
１５２  発光領域
１５４  透光領域
１６０  遮光部
１６０ａ  端部
１６０ｂ  端部
１６０ｃ  端部
１６０ｄ  端部
１６２  第１部分
１６２ａ  端部
１６４  第２部分
１６４ａ  端部
１６６  第３部分
１６６ａ  端部
１６８  第４部分
１６８ａ  端部
１７０  導電部
１７２  導電部
１７４  導電部
【図１】
2018010780.tif 000003
【図２】
2018010780.tif 000004
【図３】
2018010780.tif 000005
【図４】
2018010780.tif 000006
【図５】
2018010780.tif 000007
【図６】
2018010780.tif 000008
【図７】
2018010780.tif 000009
【図８】
2018010780.tif 000010
【図９】
2018010780.tif 000011
【図１０】
2018010780.tif 000012
【図１１】
2018010780.tif 000013
【図１２】
2018010780.tif 000014
【図１３】
2018010780.tif 000015
【図１４】
2018010780.tif 000016